(57)【特許請求の範囲】
【請求項１】
音入力装置から取得された第１音信号と、音再生装置から取得された第２音信号と、を合成して第３音信号を生成する合成部と、
前記第２音信号または前記第３音信号を放音部に出力する出力部と、
前記出力部が前記第３音信号を出力している状態の少なくとも一部の期間において、報知部に報知させるための情報を当該報知部に出力する報知制御部と、
前記期間を特定する情報をメモリに登録する登録部と、
を備える制御装置。
【請求項２】
前記メモリに登録される情報は、前記出力部が前記第３音信号を出力してから経過した時間を含む、請求項１に記載の制御装置。
【請求項３】
前記メモリに登録される情報は、前記出力部が前記第３音信号を出力していた期間を示す時刻情報を含む、請求項１に記載の制御装置。
【請求項４】
前記報知部は、前記音再生装置以外の端末であり、
前記報知制御部は、前記報知部に報知させるための情報を前記端末に出力する、請求項１から請求項３のいずれかに記載の制御装置。
【請求項５】
前記制御装置の位置を測定する位置測定部をさらに備え、
前記出力部は、前記位置測定部によって測定された位置に基づいて、前記第２音信号と前記第３音信号とを切り替えて前記放音部に出力する、請求項１から請求項４のいずれかに記載の制御装置。
【請求項６】
前記制御装置の挙動を測定する挙動測定部をさらに備え、
前記出力部は、前記挙動測定部によって測定された挙動に基づいて、前記第２音信号と前記第３音信号とを切り替えて前記放音部に出力する、請求項１から請求項５のいずれかに記載の制御装置。
【請求項７】
請求項１から請求項６のいずれかに記載の制御装置と、
前記音入力装置と、
を備える車両。
【請求項８】
前記出力部が前記第２音信号を出力している期間において、車輪を駆動する動力を抑制または遮断する動力制御部をさらに備える、請求項７に記載の車両。
【請求項９】
請求項１から請求項６のいずれかに記載の制御装置と、
前記放音部と、
を備える放音装置。
【請求項１０】
前記放音部を耳に装着するための装着部と、
前記放音部が耳に装着されているときに外部から視認できる位置に配置された報知部と、
をさらに備える請求項９に記載の放音装置。
【請求項１１】
前記放音部および前記報知部は、前記装着部に取り付けられ、
前記報知部は、前記装着部に対して前記放音部とは反対側に配置されている、請求項１０に記載の放音装置。
【請求項１２】
前記報知制御部は、前記第１音信号の信号レベルに対する前記第２音信号との信号レベルの割合に基づいて、前記報知部における報知の形態を異ならせる、請求項１０または請求項１１に記載の放音装置。
【請求項１３】
前記報知部は発光により報知する、請求項９から請求項１２のいずれかに記載の放音装置。
【請求項１４】
コンピュータに、
音再生装置から取得される第２音信号を放音部に出力し、
前記放音部への出力を、音入力装置から取得される第１音信号と前記第２音信号とを合成した第３音信号に切り替え、
前記第３音信号が前記放音部に出力されている状態の少なくとも一部の期間において、報知部に報知させるための情報を当該報知部に出力し、
前記期間を特定する情報をメモリに登録すること
を実行させるためのプログラム。
【請求項１５】
前記報知部は、前記音再生装置以外の端末であり、
前記報知部に報知させるための情報を前記端末に出力すること
をさらに実行させるための請求項１４に記載のプログラム。
【発明の詳細な説明】
【技術分野】
【０００１】
本発明は、放音装置の使用状態を報知する技術に関する。
【背景技術】
【０００２】
ヘッドホンおよびイヤホンなど耳に装着して使用する放音装置において、いわゆるヒアスルー機能が設けられる例が増加している（例えば、特許文献１）。ヒアスルー機能は、外部音をマイクロフォンで取得して、再生音と合成して出力する機能である。このような放音装置を耳に装着した状態で再生音を聴取していると、ヒアスルー機能を用いない場合には外部音がほとんど聞こえない。一方、例えば、他の人と会話をする場合、ヒアスルー機能を用いることによって放音装置を耳に装着した状態でも、相手の声を聞くことができる。
【先行技術文献】
【特許文献】
【０００３】
【特許文献１】特表２０１６−５００９９４号公報
【発明の概要】
【発明が解決しようとする課題】
【０００４】
しかしながら、放音装置を装着しているユーザがヒアスルー機能を用いて外部音を聴取できる状況であるか、この機能を用いずに再生音のみを聴取しているかについては、他の人が確認することはできなかった。【０００５】
本発明の目的の一つは、ユーザに装着されている放音装置がヒアスルー機能を用いているか否かを、ユーザ以外が確認することにある。
【課題を解決するための手段】
【０００６】
本発明の一実施形態によれば、音入力装置から取得された第１音信号と、音再生装置から取得された第２音信号と、を合成して第３音信号を生成する合成部と、前記第２音信号または前記第３音信号を放音部に出力する出力部と、前記出力部が前記第３音信号を出力している状態の少なくとも一部の期間において、報知部に報知させるための情報を当該報知部に出力する報知制御部と、前記期間を特定する情報をメモリに登録する登録部と、を備える制御装置が提供される。【０００７】
前記メモリに登録される情報は、前記出力部が前記第３音信号を出力してから経過した時間を含んでもよい。【０００８】
前記メモリに登録される情報は、前記出力部が前記第３音信号を出力していた期間を示す時刻情報を含んでもよい。【０００９】
また、本発明の一実施形態によれば、音入力装置から取得された第１音信号と、音再生装置から取得された第２音信号と、を合成して第３音信号を生成する合成部と、前記第２音信号または前記第３音信号を放音部に出力する出力部と、前記出力部が前記第３音信号を出力している状態の少なくとも一部の期間において、前記音再生装置以外の端末を報知部として利用し、当該報知部に報知させるための情報を当該端末に出力する報知制御部と、を備える制御装置が提供される。【００１０】
前記制御装置の位置を測定する位置測定部をさらに備え、前記出力部は、前記位置測定部によって測定された位置に基づいて、前記第２音信号と前記第３音信号とを切り替えて前記放音部に出力してもよい。【００１１】
前記制御装置の挙動を測定する挙動測定部をさらに備え、前記出力部は、前記挙動測定部によって測定された挙動に基づいて、前記第２音信号と前記第３音信号とを切り替えて前記放音部に出力してもよい。【００１２】
また、本発明の一実施形態によれば、上記に記載の制御装置と、前記音入力装置と、を備える車両が提供される。【００１３】
前記出力部が前記第２音信号を出力している期間において、車輪を駆動する動力を抑制または遮断する動力制御部をさらに備えてもよい。【００１４】
また、本発明の一実施形態によれば、上記に記載の制御装置と、前記放音部と、を備える放音装置が提供される。【００１５】
前記放音部を耳に装着するための装着部と、前記放音部が耳に装着されているときに外部から視認できる位置に配置された報知部と、をさらに備えてもよい。【００１６】
また、本発明の一実施形態によれば、放音部と、前記放音部を耳に装着するための装着部と、前記放音部が耳に装着されているときに外部から視認できる位置に配置された報知部と、音入力装置から取得された第１音信号と、音再生装置から取得された第２音信号と、を合成して第３音信号を生成する合成部と、前記第２音信号または前記第３音信号を前記放音部に出力する出力部と、前記出力部が前記第３音信号を出力している状態の少なくとも一部の期間において、前記報知部に報知させるための情報を当該報知部に出力する報知制御部と、を備える放音装置が提供される。【００１７】
前記放音部および前記報知部は、前記装着部に取り付けられ、前記報知部は、前記装着部に対して前記放音部とは反対側に配置されていてもよい。【００１８】
前記報知制御部は、前記第１音信号の信号レベルに対する前記第２音信号との信号レベルの割合に基づいて、前記報知部における報知の形態を異ならせてもよい。【００１９】
前記報知部は発光により報知してもよい。【００２０】
また、本発明の一実施形態によれば、コンピュータに、音再生装置から取得される第２音信号を放音部に出力し、前記放音部への出力を、音入力装置から取得される第１音信号と前記第２音信号とを合成した第３音信号に切り替え、前記第３音信号が前記放音部に出力されている状態の少なくとも一部の期間において、報知部に報知させるための情報を当該報知部に出力し、前記期間を特定する情報をメモリに登録することを実行させるためのプログラムが提供される。【００２１】
また、本発明の一実施形態によれば、コンピュータに、音再生装置から取得される第２音信号を放音部に出力し、前記放音部への出力を、音入力装置から取得される第１音信号と前記第２音信号とを合成した第３音信号に切り替え、前記第３音信号が前記放音部に出力されている状態の少なくとも一部の期間において、前記音再生装置以外の端末を報知部として利用し、当該報知部に報知させるための情報を当該端末に出力することを実行させるためのプログラムが提供される。
【発明の効果】
【００２２】
本発明によれば、ユーザに装着されている放音装置がヒアスルー機能を用いているか否かを、ユーザ以外が確認することができる。
【図面の簡単な説明】
【００２３】
【図１】本発明の第１実施形態におけるヘッドホンの構成を説明する図である。
【図２】本発明の第１実施形態におけるヘッドホンの外観の変化を説明する図である。
【図３】本発明の第１実施形態における制御機能の構成を説明する図である。
【図４】本発明の第１実施形態における制御機能によって実行される処理を説明するフローチャートである。
【図５】本発明の第１実施形態における動作モード切替の具体例を説明する図である。
【図６】本発明の第２実施形態における制御機能の構成を説明する図である。
【図７】本発明の第２実施形態における報知端末の構成を説明する図である。
【図８】本発明の第２実施形態における制御機能によって実行される処理を説明するフローチャートである。
【図９】本発明の第２実施形態における報知端末に表示される画面例を説明する図である。
【図１０】本発明の第３実施形態における制御機能の構成を説明する図である。
【図１１】本発明の第４実施形態における制御機能の構成を説明する図である。
【図１２】本発明の第５実施形態における制御機能の構成を説明する図である。
【図１３】本発明の第６実施形態における制御機能の構成を説明する図である。
【図１４】本発明の第７実施形態における制御機能の構成を説明する図である。
【図１５】本発明の第８実施形態におけるヘッドホンの外観の変化を説明する図である。
【図１６】本発明の第９実施形態におけるヘッドホンの外観の変化を説明する図である。
【発明を実施するための形態】
【００２４】
以下、本発明の一実施形態におけるヘッドホン等の放音装置または放音装置を含むシステムについて、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。
【００２５】
＜第１実施形態＞
［１．概要］
本発明の第１実施形態におけるヘッドホンは、スピーカから再生音を出力するモード（以下、再生音モードという）で駆動するだけでなく、外部音を取り込んで再生音に合成して出力する、いわゆるヒアスルー機能を実現するモード（以下、合成音モードという）で駆動することができる。これらの２つの動作モードは、この例では、ユーザの操作によって切り替えることができる。このヘッドホンは、合成音モードで駆動するときに、その動作モードになっていることを外部から確認できる構成を有している。以下、第１実施形態におけるヘッドホンの構成について説明する。
【００２６】
［２．ヘッドホンのハードウェア構成］
図１は、本発明の第１実施形態におけるヘッドホンの構成を説明する図である。ヘッドホン１（放音装置）は、左ハウジング８０Ｌ、右ハウジング８０Ｒ、左イヤーマフ８２Ｌ、右イヤーマフ８２Ｒおよびヘッドバンド８５を備える。ヘッドバンド８５は、左ハウジング８０Ｌと右ハウジング８０Ｒとを接続する。この例では、ヘッドバンド８５は、その内部において、左ハウジング８０Ｌと右ハウジング８０Ｒとの内部構成を電気的に接続している。左ハウジング８０Ｌには左イヤーマフ８２Ｌが取り付けられている。右ハウジング８０Ｒには右イヤーマフ８２Ｒが取り付けられている。
【００２７】
左イヤーマフ８２Ｌがユーザの左耳と接触し、さらに右イヤーマフ８２Ｒがユーザの右耳と接触した状態において、ヘッドバンド８５が左イヤーマフ８２Ｌと右イヤーマフ８２Ｒとを近づけるように力を加えることで、ヘッドホン１がユーザの耳に装着される。このように、左ハウジング８０Ｌ、右ハウジング８０Ｒ、左イヤーマフ８２Ｌ、右イヤーマフ８２Ｒおよびヘッドバンド８５は、ユーザの耳にヘッドホン１を装着するための装着部としての機能を有する。
【００２８】
左ハウジング８０Ｌには、Ｌｃｈスピーカ７０Ｌ、Ｌｃｈマイクロフォン７２Ｌ、左ＬＥＤランプ７５Ｌおよび左操作部７８Ｌが配置されている。右ハウジング８０Ｒには、Ｒｃｈスピーカ７０Ｒ、Ｒｃｈマイクロフォン７２Ｒ、右ＬＥＤランプ７５Ｒおよび右操作部７８Ｒが配置されている。この例では、制御部１０（制御装置）および通信部１５が右ハウジング８０Ｒに配置され、メモリ９０が左ハウジング８０Ｌに配置されている。また、図示は省略しているが、各構成に電力を供給するために、二次電池等の電源９９が、左ハウジング８０Ｌおよび右ハウジング８０Ｒに配置されている。
【００２９】
以下の説明において、左右の構成を特に区別する必要がない場合には、まとめた表現で記載する場合がある。例えば、Ｌｃｈスピーカ７０ＬとＲｃｈスピーカ７０Ｒとをまとめてスピーカ７０と記載する場合がある。同様にまとめた表現として、マイクロフォン７２、ＬＥＤランプ７５、操作部７８、ハウジング８０、イヤーマフ８２のように記載される場合がある。
【００３０】
スピーカ７０（放音部）は、ハウジング８０のイヤーマフ８２側に配置され、供給された電気信号（音信号）を音に変換して空気中に出力する。これによって、イヤーマフ８２に接触する耳へ音が到達する。マイクロフォン７２（音入力装置）は、ハウジング８０の外側（ＬＥＤランプ７５と同じ側）に配置され、入力された音（外部音）を電気信号（音信号）に変換して出力する。操作部７８は、ハウジング８０の表面に配置され、ユーザの操作を受け付けて電気信号（操作情報）に変換して出力する。この例では、操作部７８は、ヘッドホン１の動作モードを、再生音モードおよび合成音モードのいずれか一方に指定する指示を受け付ける。なお、操作部７８は、さらに、電源のオンオフ、出力音量の設定、再生開始、停止等の指示等を受け付けてもよい。
【００３１】
ＬＥＤランプ７５（報知部）は、ヘッドホン１がユーザの耳に装着されているときに、外部から視認できる位置に配置され、ハウジング８０の外側に向けて光を放射する。この例では、ヘッドホン１がユーザの耳に装着されているときに、ハウジング８０に対して、ユーザの耳とは反対側の位置になるようにＬＥＤランプ７５が配置される。言い換えれば、ＬＥＤランプ７５は、ハウジング８０に対してイヤーマフ８２とは反対側（放音される向きとは逆方向）の位置に配置されている。より詳細には、ＬＥＤランプ７５は、スピーカ７０の放音方向とは反対方向の成分を有して光を放射するように、ハウジング８０に配置されている。
【００３２】
ＬＥＤランプ７５は、ヘッドホン１の動作モード（再生音モード、合成音モード）によって、発光の形態を変化させてヘッドホン１の外観を変化させる。この変化は、制御部１０によって制御される。左ハウジング８０Ｌを側面から見た場合（矢印Ａ２方向に沿って見た場合）のヘッドホン１の外観の変化について、図２を用いて説明する。
【００３３】
図２は、本発明の第１実施形態におけるヘッドホンの外観の変化を説明する図である。この例では、左ＬＥＤランプ７５Ｌは、再生音モードであるときには消灯状態であり、合成音モードであるときには点灯状態である。このような外観の変化は一例であって、動作モードの違いによって変化するようになっていればよい。例えば、動作モードの違いによって、点滅パターン、色、明るさ、発光個数等が変化するようになっていてもよい。なお、３つの左ＬＥＤランプ７５Ｌが、左ハウジング８０Ｌに配置されているが、１つでもよいし、他の数であってもよい。また、動作モードを外部に報知するための構成は、ＬＥＤランプ７５に限らず、電子ペーパ、液晶ディスプレイ、有機ＥＬディスプレイ等の表示デバイスであってもよい。
【００３４】
図１に戻って説明を続ける。通信部１５は、無線で通信するためモジュール（例えば、ブルートゥース（登録商標）等の短距離無線通信）であって、制御部１０の制御に基づいて、外部の装置と情報を送受信する。なお、通信部１５は、有線で通信するためのモジュールであってもよい。
【００３５】
メモリ９０は、不揮発性メモリ等の記憶媒体であって、この例では、ヘッドホン１から取り外して別の読み取り機器に接続可能な媒体である。なお、メモリ９０は、ヘッドホン１から取り外すことができない構成であってもよい。この場合には、例えば、外部の装置が通信部１５を介してメモリ９０に記憶された情報を読み出す。
【００３６】
制御部１０は、ＣＰＵなどの演算処理回路およびメモリを含む。制御部１０は、メモリに記憶された制御プログラムをＣＰＵによって実行して、各種機能をヘッドホン１において実現させる。実現される機能には、制御機能を含む。制御プログラムは、コンピュータにより実行可能であればよく、磁気記録媒体、光記録媒体、光磁気記録媒体、半導体メモリなどのコンピュータ読み取り可能な記録媒体に記憶した状態で提供されてもよい。この場合には、ヘッドホン１は、記録媒体を読み取る装置を備えていればよい。また、制御プログラムは、通信部１５を介してダウンロードされてもよい。続いて、制御機能を実現するための各構成および制御機能により実行される処理の具体的な実現方法について、順に説明する。
【００３７】
［３．制御機能の構成］
ヘッドホン１の制御部１０が制御プログラムを実行することによって実現される制御機能について説明する。以下に説明する機能を実現する構成の一部または全部は、ソフトウェアによって実現される場合に限らず、ハードウェアによって実現されてもよい。
【００３８】
図３は、本発明の第１実施形態における制御機能の構成を説明する図である。制御部１０は、合成部１０１、出力部１０５、報知制御部１０７および登録部１０９によって制御機能を実現する。また、上述した通信部１５は、この例では、オーディオプレイヤ３と接続されるプレイヤ接続部１５１として機能する。オーディオプレイヤ３（音再生装置）は、音楽データ等をデコードして得られる再生音信号Ｓｒ（第２音信号）を出力する。プレイヤ接続部１５１は、オーディオプレイヤ３から無線通信により再生音信号Ｓｒを受信する。マイクロフォン７２は、上述したように、入力された外部音信号Ｓｅ（第１音信号）を出力する。
【００３９】
合成部１０１は、再生音信号Ｓｒと外部音信号Ｓｅとを合成した音を出力する。合成とは、この例では、再生音信号Ｓｒに対して外部音信号Ｓｅを加算することをいう。合成部１０１は、合成して得られた合成音信号Ｓｓ（第３音信号）を出力する。
【００４０】
出力部１０５は、操作部７８から取得した操作情報が再生音モードを指定する場合には、スピーカ７０に再生音信号Ｓｒを出力する。一方、出力部１０５は、操作情報が合成音モードを指定する場合には、スピーカ７０には合成音信号Ｓｓを出力する。出力部１０５は、出力した音信号に対応した選択情報を、報知制御部１０７および登録部１０９に出力する。なお、報知制御部１０７および登録部１０９に対しては、選択情報に代えて、操作部７８からの操作情報が出力されてもよい。
【００４１】
報知制御部１０７は、選択情報に応じて、ＬＥＤランプ７５を制御する。この例では、報知制御部１０７は、選択情報が再生音モード（再生音信号Ｓｒが出力されていること）を示す場合に、ＬＥＤランプ７５を消灯させる。一方、報知制御部１０７は、選択情報が合成音モード（合成音信号Ｓｓが出力されていること）を示す場合に、ＬＥＤランプ７５を点灯させる。
【００４２】
登録部１０９は、選択情報に応じて、期間情報をメモリ９０に登録する。期間情報は、出力部１０５が合成音信号Ｓｓを出力している期間を特定する情報（時刻情報）であって、例えば、出力部１０５が再生音信号Ｓｒから合成音信号Ｓｓに出力を切り替た時刻ｔ１と、合成音信号Ｓｓから再生音信号Ｓｒに出力を切り替えた時刻ｔ２とを示す情報である。
【００４３】
［４．制御機能による処理］
続いて、制御部１０が制御機能によって実行する処理について説明する。この処理は、ヘッドホン１の電源がオンにされることによって開始される。
【００４４】
図４は、本発明の第１実施形態における制御機能によって実行される処理を説明するフローチャートである。この処理が開始されると、まず、制御部１０は、ＬＥＤランプ７５の発光状態およびメモリ９０に登録された期間情報を初期化する（ステップＳ１０１）。この初期化によって、ＬＥＤランプ７５が消灯する。また、期間情報の初期化によって、メモリ９０に登録された期間情報が消去される。続いて、制御部１０は、再生音信号Ｓｒをスピーカ７０に出力する（ステップＳ１０３）。すなわち、制御部１０は、初期化によってヘッドホン１を再生音モードに設定する。なお、制御部１０は、ステップＳ１０１における初期化によってＬＥＤランプ７５を点灯し、ステップＳ１０３において合成音信号Ｓｓをスピーカ７０に出力するようにしてもよい。すなわち、制御部１０は、初期化によってヘッドホン１を合成音モードに設定してもよい。
【００４５】
続いて、制御部１０は、電源のオフ操作、および動作モードの切り替え操作のいずれかが行われるのを待機する（ステップＳ１１１；Ｎｏ、ステップＳ１１３；Ｎｏ）。以下、この状態を待機状態という。
【００４６】
待機状態において電源がオフにされると（ステップＳ１１１；Ｙｅｓ）、制御部１０は制御機能を終了する。待機状態において動作モードが再生音モードから合成音モードに切り替えられると（ステップＳ１１３；再生音→合成音）、制御部１０は、スピーカ７０に出力される信号を、再生音信号Ｓｒから合成音信号Ｓｓに切り替える（ステップＳ１２１）。続いて、制御部１０は、ＬＥＤランプ７５を点灯させ（ステップＳ１２３）、合成音モードに切り替えられた時刻（合成音モードの開始時刻）をメモリ９０に登録する（ステップＳ１２５）。その後、制御部１０は、再び待機状態に戻る。
【００４７】
待機状態において動作モードが合成音モードから再生音モードに切り替えられると（ステップＳ１１３；合成音→再生音）、制御部１０は、ＬＥＤランプ７５を消灯させ（ステップＳ１３１）、再生音モードに切り替えられた時刻（合成音モードの終了時刻）をメモリ９０に登録する（ステップＳ１３３）。続いて、制御部１０は、スピーカ７０に出力される信号を、合成音信号Ｓｓから再生音信号Ｓｒに切り替える（ステップＳ１３５）。その後、制御部１０は、再び待機状態に戻る。
【００４８】
以上の処理について、時刻ｔｍ１において再生音モードから合成音モードに切り替えられ、その後、時刻ｔｍ２において再び再生音モードに切り替えられた場合の具体例について、図５を用いて説明する。
【００４９】
図５は、本発明の第１実施形態における動作モード切替の具体例を説明する図である。再生音モードであるときには、再生音信号Ｓｒがスピーカ７０に出力されている。一方、ＬＥＤランプ７５は非発光状態である。時刻ｔｍ１において、ヘッドホン１の動作モードが再生音モードから合成音モードに切り替えられると、時刻ｔ１においてスピーカ７０に出力される音信号が、再生音信号Ｓｒから合成音信号Ｓｓに切り替わる。時刻ｔ１は時刻ｔｍ１に対して、ほぼ同時刻であってもよいし、所定時間遅れていてもよい。また、時刻ｔ１において、ＬＥＤランプ７５は、点灯させられて発光状態となる。さらに、メモリ９０に時刻ｔ１が合成音モードの開始時刻として登録される。
【００５０】
その後、時刻ｔｍ２において、ヘッドホン１の動作モードが合成音モードから再生音モードに切り替えられると、時刻ｔ２においてスピーカ７０に出力される音信号が、合成音信号Ｓｓから再生音信号Ｓｒに切り替わる。時刻ｔ２は時刻ｔｍ２に対して、ほぼ同時刻であってもよいし、所定時間遅れていてもよい。また、時刻ｔ２において、ＬＥＤランプ７５は、消灯させられて非発光状態となる。さらに、メモリ９０に時刻ｔ２が合成音モードの終了時刻として登録される。
【００５１】
このように、本発明の第１実施形態におけるヘッドホン１によれば、合成音モードである期間においてＬＥＤランプ７５が発光状態となる。これによって、ヘッドホン１の動作モードが合成音モードであることを外部から確認することができる。また、合成音モードであった期間をメモリ９０に登録しておくことにより、現時点において再生音モードであったとしても、直前までは合成音モードであったことを証明することもできる。逆に、現時点において合成音モードであったとしても、直前までは再生音モードであったことを証明することもできる。このようなヘッドホン１によれば、以下のような用途に用いることもできる。
【００５２】
［５．ヘッドホン１の利用例］
ヘッドホン１を耳に装着したユーザが、再生音モードにおいて音楽を聴取しながら、自転車等の軽車両を利用することは、外部の音が聞こえにくいため危険が伴う。そのため、このような行為は避けられるべきである。一方、合成音モードによりユーザが音楽を聴取している場合には、ヘッドホン１を耳に装着していても、外部の音を再生音と同時に聴取することができるため、安全性が高い。
【００５３】
仮に、再生音モードにおいて音楽を聴取しながら軽車両を利用することが法律で制限されたとしても、合成音モードであれば外部の音が聴取できるため、法律の制限を受けないことも想定される。このような場合、本発明の第１実施形態におけるヘッドホン１によれば、ＬＥＤランプ７５の発光によって外部から合成音モードであることを確認することができるため、ヘッドホン１を使用した行為が法律の制限を受けるべきかどうか、視認により容易に確認することができる。
【００５４】
また、メモリ９０の存在によって以下の利用形態も考えられる。上記のように法律の制限を受ける場合、再生音モードでヘッドホン１を利用するユーザは、取り締まりの対象として警察官から質問を受けることがある。このとき、その直前にユーザが合成音モードに切り替えてしまうことで、取り締まりの対象外にしようとする可能性もある。このような場合であっても、メモリ９０に登録された期間情報を読み出すことによって、合成音モードに切り替えた直後であることを容易に証明することができる。これとは逆に、合成音モードで利用していたにもかかわらず、警察官の見間違いによりユーザが取り締まりの対象となる場合もある。このような場合でも、メモリ９０に登録された期間情報を読み出すことによって以前から合成音モードであったかどうかを容易に証明することができる。
【００５５】
＜第２実施形態＞
第１実施形態では、ＬＥＤランプ７５の発光状態を確認することで、ヘッドホン１の動作モードを外部から確認した。第２実施形態では、外部の端末において動作モードを確認するための構成を備えるヘッドホン１Ａについて説明する。ヘッドホン１Ａの動作モードを確認することができる端末を、この例では報知端末５という。このように、第２実施形態では、動作モード（特に、合成音モード）の報知を、ＬＥＤランプ７５の発光により実行するのではなく、報知端末５（報知部）における表示として実行する。以下、第２実施形態におけるヘッドホン１Ａおよび報知端末５の構成について説明する。
【００５６】
図６は、本発明の第２実施形態における制御機能の構成を説明する図である。ヘッドホン１Ａは、制御部１０Ａ、通信部１５Ａ、スピーカ７０、マイクロフォン７２、操作部７８およびメモリ９０を備える。制御部１０Ａは、合成部１０１、出力部１０５、報知制御部１０７Ａおよび登録部１０９によって制御機能を実現する。通信部１５Ａは、プレイヤ接続部１５１に加えて、報知端末５と接続される報知端末接続部１５５としても機能する。一方、この例では、ヘッドホン１Ａは、ＬＥＤランプ７５を有していない。第１実施形態と同じ符号が付された他の構成については、その機能が第１実施形態と同様である。したがって、それらの機能についての説明は省略される。なお、この例では、オーディオプレイヤ３と報知端末５とは別体の装置であるが、一体の装置であってもよい。
【００５７】
報知制御部１０７Ａは、報知端末接続部１５５に接続された報知端末５からの要求に応じて、ヘッドホン１Ａの動作モードに関する情報を、報知端末接続部１５５に出力する。報知制御部１０７Ａは、ヘッドホン１Ａの動作モードが合成音モードである場合には、さらにメモリ９０から期間情報を読み出す。報知制御部１０７Ａは、期間情報が示す時刻ｔ１（再生音モードから合成音モードに切り替えられた時刻）から、現時点までの経過時間を算出して、報知端末接続部１５５に出力する。これらの情報（報知情報）は、報知端末接続部１５５を介して報知端末５に送信される。
【００５８】
図７は、本発明の第２実施形態における報知端末の構成を説明する図である。報知端末５は、制御部５０、通信部５５、表示部５７および操作部５８を備える。通信部５５は、無線で通信するためモジュール（例えば、ブルートゥース（登録商標）等の短距離無線通信）であって、制御部５０の制御に基づいて、外部の装置と情報を送受信する。この例では、通信部５５は、ヘッドホン１Ａを接続するためのヘッドホン接続部として機能する。表示部５７は、制御部５０の制御に基づいて画面を表示する。操作部５８は、ユーザの操作を受け付けて電気信号に変換して出力する。表示部５７と操作部５８とによって、タッチパネルが構成されてもよい。
【００５９】
制御部５０は、ＣＰＵなどの演算処理回路およびメモリを含む。制御部５０は、メモリに記憶された制御プログラムをＣＰＵによって実行して、各種機能を報知端末５において実現させる。実現される機能には、報知機能を含む。制御プログラムは、コンピュータにより実行可能であればよく、磁気記録媒体、光記録媒体、光磁気記録媒体、半導体メモリなどのコンピュータ読み取り可能な記録媒体に記憶した状態で提供されてもよい。
【００６０】
報知機能によると、例えば、以下のような処理が実行される。操作部５８を介してヘッドホン１Ａの情報を取得するための指示が入力されると、制御部５０は、通信部５５を介してヘッドホン１Ａに対して接続要求を行う。報知端末５が接続要求に対する報知情報をヘッドホン１Ａから受信すると、制御部５０は、表示部５７に報知情報に応じた表示（後述する図９参照）を行う。
【００６１】
続いて、ヘッドホン１Ａの制御部１０Ａが制御機能によって実行する処理について説明する。この処理は、ヘッドホン１の電源がオンにされることによって開始される。
【００６２】
図８は、本発明の第２実施形態における制御機能によって実行される処理を説明するフローチャートである。なお、図４に示す第１実施形態における処理と同じステップについては、同じ符号を付してある。そのステップについては、説明を簡略化している。
【００６３】
この処理が開始されると、まず、制御部１０Ａは、メモリ９０に登録された期間情報を初期化し（ステップＳ１０１）、再生音信号Ｓｒをスピーカ７０に出力する（ステップＳ１０３）。続いて、制御部１０Ａは、電源のオフ操作、報知端末５からの接続要求の受信、および動作モードの切り替え操作のいずれかが行われるのを待機する（ステップＳ１１１；Ｎｏ、ステップＳ２１１；Ｎｏ、ステップＳ１１３；Ｎｏ）。以下、この状態を待機状態という。
【００６４】
待機状態において電源がオフにされると（ステップＳ１１１；Ｙｅｓ）、制御部１０Ａは制御機能を終了する。待機状態において動作モードが再生音モードから合成音モードに切り替えられると（ステップＳ１１３；再生音→合成音）、制御部１０Ａは、スピーカ７０に出力される信号を、再生音信号Ｓｒから合成音信号Ｓｓに切り替える（ステップＳ１２１）。続いて、制御部１０Ａは、合成音モードに切り替えられた時刻（合成音モードの開始時刻）をメモリ９０に登録する（ステップＳ１２５）。その後、制御部１０Ａは、再び待機状態に戻る。
【００６５】
待機状態において動作モードが合成音モードから再生音モードに切り替えられると（ステップＳ１１３；合成音→再生音）、制御部１０Ａは、再生音モードに切り替えられた時刻（合成音モードの終了時刻）をメモリ９０に登録する（ステップＳ１３３）。続いて、制御部１０Ａは、スピーカ７０に出力される信号を、合成音信号Ｓｓから再生音信号Ｓｒに切り替える（ステップＳ１３５）。その後、制御部１０Ａは、再び待機状態に戻る。
【００６６】
報知端末５からの接続要求を受信すると（ステップＳ２１１；Ｙｅｓ）、制御部１０Ａは、報知端末接続部１５５を介して、報知端末５に対して報知情報を送信する（ステップＳ２２１）。ここで、報知端末５が報知情報を受信すると、制御部５０が表示部５７において、報知情報に応じた画面を表示させる。
【００６７】
図９は、本発明の第２実施形態における報知端末に表示される画面例を説明する図である。表示部５７に表示される画面は、図９に例示されるように、ヘッドホン１Ａの情報を示す領域ＤＡを含む。領域ＤＡでは、ヘッドホン１Ａの端末の名称（この例では「ＡＢ０１２」）、動作モードの名称（この例では、「合成音モード」）、および合成音モードの場合に表示される合成音モードの継続時間（この例では、「５ｍｉｎ」）が表示される。このとき、図９に示すように、領域ＤＡの近傍において、端末の名称に対応した端末の形態を示す画像ＨＤが表示されてもよい。
【００６８】
また、領域ＤＡの近傍において、ユーザによって指示が入力されるためのボタンＢＴ１、ＢＴ２が表示されてもよい。この例では、ＯＫボタンＢＴ１とＮＧボタンＢＴ２とが表示される。このボタンＢＴ１、ＢＴ２の操作によって、ヘッドホン１Ａの動作が制御されてもよい。例えば、ＯＫボタンＢＴ１が操作されると、ヘッドホン１Ａがそのまま継続的に使用可能な状態を維持する。一方、ＮＧボタンＢＴ２が操作されると、ヘッドホン１Ａの使用を一時的に制限してもよいし、強制的に動作モードを合成音モードに変更することによって、一定時間、動作モードを変更できないようにしてもよい。
【００６９】
以上、第２実施形態におけるヘッドホン１Ａは、動作モードを外部に報知するためにＬＥＤランプ７５を用いるのではなく、報知端末５を用いる。このように、外部に動作モード（特に、合成音モード）を報知するための構成は、ヘッドホン１Ａと一体に構成された装置に限らず、別体の装置であってもよい。
【００７０】
＜第３実施形態＞
第１実施形態においては、ユーザが動作モードを切り替えていたが、第３実施形態では、所定の条件を満たすと自動的に動作モードを切り替えるヘッドホン１Ｂについて説明する。
【００７１】
図１０は、本発明の第３実施形態における制御機能の構成を説明する図である。ヘッドホン１Ｂは、制御部１０Ｂ、通信部１５、スピーカ７０、マイクロフォン７２、ＬＥＤランプ７５、センサ７９およびメモリ９０を備える。制御部１０Ｂは、合成部１０１、出力部１０５Ｂ、報知制御部１０７および登録部１０９によって制御機能を実現する。第１実施形態と同じ符号が付された他の構成については、その機能が第１実施形態と同様である。したがって、それらの機能についての説明は省略される。
【００７２】
センサ７９は、この例ではヘッドホン１Ｂの位置を測定する位置センサ（位置測定部）であって、位置に応じた測定信号（例えば、緯度、経度および高度を示す情報を含む信号）を出力する。出力部１０５Ｂは、センサ７９から出力される測定信号に基づいて、再生音信号Ｓｒおよび合成音信号Ｓｓのいずれか一方を選択して、スピーカ７０に出力する。この例では、出力部１０５Ｂは、測定信号が示す位置に基づいて、ヘッドホン１Ｂの移動速度（ヘッドホン１Ｂを装着したユーザの移動速度）を算出する。そして、出力部１０５Ｂは、移動速度が所定の速度（例えば、時速５ｋｍ）以上であれば、合成音信号Ｓｓをスピーカ７０に出力し、移動速度が所定の速度未満では再生音信号Ｓｒをスピーカ７０に出力する。
【００７３】
このようにすることで、ヘッドホン１Ｂを装着したユーザの移動速度が所定の速度以上になると、ヘッドホン１Ｂの動作モードが再生音モードから合成音モードに自動的に切り替えられる。所定の速度の設定によって、合成音モードに自動的に切り替える状況（歩行、走行、自転車運転中、自動車運転中）を変更することもできる。また、センサ７９が位置センサである場合には、ヘッドホン１Ｂの位置が地図上の特定の範囲であるか否かによって動作モードが切り替えられるようにしてもよい。例えば、交差点および駅前などの交通量の多い場所が特定の範囲として設定されることが考えられる。このように設定されると、ユーザが交通量の多い場所に訪れたときには、強制的に合成音モードに切り替えられるようにすることもできる。
【００７４】
なお、センサ７９は、位置センサに限られない。例えば、センサ７９において、ヘッドホン１Ｂの挙動を測定するためのセンサ（挙動測定部）、例えば、加速度センサまたは振動センサ等を用いてもよい。この場合、センサ７９から出力される測定信号が示す挙動によって動作モードが切り替えられるようにしてもよい。例えば、ヘッドホン１Ｂの振動が検知されている場合（ユーザが移動していることを想定）において、動作モードが合成音モードに切り替えられるようにしてもよい。
【００７５】
また、センサ７９において、ヘッドホン１Ｂの周囲の明るさを測定するためのセンサ、例えば、照度センサ等を用いてもよい。この場合、センサ７９から出力される測定信号が示す明るさによって、動作モードが切り替えられるようにしてもよい。例えば、ヘッドホン１Ｂの周囲が所定の値以下である場合（周囲が暗くなった）において、動作モードが合成音モードに切り替えられるようにすることができる。
【００７６】
また、ヘッドホン１Ｂは、センサ７９に代えて、またはセンサ７９とともに時計を有していてもよい。この場合、時間帯によって、動作モードが切り替えられるようにしてもよい。例えば、人の往来が多くなる通勤通学の時間帯には、合成音モードに切り替えられるようにすることもできる。時計とともに、センサ７９に上述した照度センサを用いる場合、これらから得られる情報を組み合わせて、動作モードが切り替えられるようしてもよい。例えば、夜の時間帯において周囲が明るくなった場合（夜の運転において車のヘッドランプを点灯した場合を想定）には、合成音モードに切り替えられるようにすることもできる。
【００７７】
＜第４実施形態＞
第１実施形態では、ヘッドホン１において制御機能を実現する制御部１０が設けられていたが、制御機能を実現する構成がヘッドホンとは別の構成に設けられてもよい。第４実施形態では、制御機能を実現する構成を含むオーディオプレイヤ１Ｃについて説明する。この例では、オーディオプレイヤ１Ｃとは別の装置であるヘッドホン７がユーザに装着される。なお、オーディオプレイヤ１Ｃは、スマートフォンまたはパーソナルコンピュータであってもよい。
【００７８】
図１１は、本発明の第４実施形態における制御機能の構成を説明する図である。オーディオプレイヤ１Ｃは、制御部１０Ｃ、再生部１３（音再生装置）、通信部１５Ｃ、マイクロフォン７２、ＬＥＤランプ７５、操作部７８およびメモリ９０を備える。制御部１０Ｃは、合成部１０１、出力部１０５Ｃ、報知制御部１０７Ｃおよび登録部１０９によって制御機能を実現する。オーディオプレイヤ１Ｃは、第１実施形態におけるヘッドホン１のうち、スピーカ７０およびＬＥＤランプ７５を備えていない。これらの構成は、ヘッドホン７に含まれている。通信部１５Ｃが、ヘッドホン７と接続されるヘッドホン接続部１５７の機能として機能する。第１実施形態と同じ符号が付された他の構成については、その機能が第１実施形態と同様である。
【００７９】
出力部１０５Ｃは、再生音信号Ｓｒおよび合成音信号Ｓｓのいずれか一方をヘッドホン接続部１５７に出力する。報知制御部１０７Ｃは、選択情報に応じてＬＥＤランプ７５を制御するための情報（報知情報）をヘッドホン接続部１５７に出力する。
【００８０】
ヘッドホン７の外観は、第１実施形態におけるヘッドホン１の外観とほぼ同様の構成を有する。ヘッドホン７は、第１実施形態と同様のスピーカ７０およびＬＥＤランプ７５を備え、さらに制御部７１０および通信部７１５を備える。通信部７１５は、無線で通信するためモジュール（例えば、ブルートゥース（登録商標）等の短距離無線通信）であって、制御部７１０の制御に基づいて、外部の装置と情報を送受信する。この例では、通信部７１５は、オーディオプレイヤ１Ｃを接続するためのプレイヤ接続部として機能する。
【００８１】
制御部７１０は、ＣＰＵなどの演算処理回路およびメモリを含む。制御部７１０は、メモリに記憶された制御プログラムをＣＰＵによって実行して、各種機能をヘッドホン７において実現させる。実現される機能には、出力機能を含む。出力機能によれば、通信部７１５によって受信された音信号をスピーカ７０に出力し、通信部７１５によって受信された報知情報に基づいて、ＬＥＤランプ７５の発光状態を制御する。この例では、第１実施形態と同様に、ＬＥＤランプ７５は、スピーカ７０に合成音信号Ｓｓが出力されるときに発光状態となり、スピーカ７０に再生音信号Ｓｒが出力されるときに非発光状態となる。
【００８２】
＜第５実施形態＞
第５実施形態では、第４実施形態におけるオーディオプレイヤ１Ｃを自動車等の車両１Ｄに適用した場合の例について説明する。
【００８３】
図１２は、本発明の第５実施形態における制御機能の構成を説明する図である。車両１Ｄは、制御部１０Ｄ、再生部１３、通信部１５Ｃ、動力制御部６０、動力機構６５、マイクロフォン７２、操作部７８およびメモリ９０を備える。制御部１０Ｄは、合成部１０１、出力部１０５Ｃ、報知制御部１０７Ｄおよび登録部１０９によって制御機能を実現する。ヘッドホン７Ｄは、スピーカ７０、制御部７１０Ｄおよび通信部７１５を備える。ヘッドホン７Ｄは、第１実施形態におけるヘッドホン７に対してＬＥＤランプ７５を備えていない。第１、第４実施形態と同じ符号が付された他の構成については、その機能が第１、第４実施形態と同様である。なお、マイクロフォン７２は、車両１Ｄの外側の音が入力されるように配置されていることが望ましい。
【００８４】
報知制御部１０７Ｄは、選択情報に応じて車両１Ｄの動力機構６５を制御するための情報（報知情報）を動力制御部６０に出力する。動力機構６５は、車両１Ｄを移動させるため機構であって、例えば、エンジンまたはモータなど、車輪を駆動する動力となる機構である。動力制御部６０は、報知情報に基づいて、車両１Ｄの動力機構６５を制御する。この制御によって、この例では、出力部１０５Ｃが合成音信号Ｓｓをスピーカ７０に出力しているとき、すなわち合成音モードであるときに車両１Ｄが移動できる状態とする。一方、出力部１０５Ｃが再生音信号Ｓｒをスピーカ７０に出力しているとき、すなわち再生音モードであるときには車両１Ｄの移動が制限される状態とする。車両１Ｄの移動が制限される状態とは、動力機構６５が車輪を駆動する動力を抑制または遮断した状態をいい、エンジンを停止したり、エンジンと車輪との動力の伝達経路を遮断したりする。なお、このような制御によれば、車両１Ｄが移動可能かどうかによって、動作モードを再生音モードであるか合成音モードであるかを外部に報知しているともいえる。
【００８５】
このような制御機能を有する車両１Ｄによれば、ユーザがヘッドホン７を装着して車両１Ｄを運転する場合に、動作モードが再生音モードに設定されているときには車両１Ｄを動かすことができず、合成音モードに設定されていることにより車両１Ｄを動かすことができる。これによって、車両１Ｄを運転するときの安全性が向上する。マイクロフォン７２が車両１Ｄの外側の音が入力されるように配置されると、車内にいるユーザにとっては車外の音を聞き取りやすくなるため、より安全性が高まる。
【００８６】
＜第６実施形態＞
第５実施形態では、動作モードが合成音モードであるときに車両１Ｄを動かすことができるようになっていたが、第６実施形態では、車両１Ｅを動かすときに自動的に動作モードが合成音モードに切り替えられる例について説明する。
【００８７】
図１３は、本発明の第６実施形態における制御機能の構成を説明する図である。
車両１Ｅは、制御部１０Ｅ、再生部１３、通信部１５Ｃ、動力制御部６０Ｅ、動力機構６５、マイクロフォン７２、操作部７８およびメモリ９０を備える。制御部１０Ｅは、合成部１０１、出力部１０５Ｅ、報知制御部１０７Ｃおよび登録部１０９によって制御機能を実現する。ヘッドホン７は、第４実施形態と同様の構成である。第１、第４、第５実施形態と同じ符号が付された他の構成については、その機能が第１、第４、第５実施形態と同様である。
【００８８】
動力制御部６０Ｅは、ユーザの指示（キー操作、アクセル操作、ブレーキ操作等）を受け付けて、その指示に応じて動力機構６５を制御することによって車両１Ｅを移動させる。このとき、動力制御部６０Ｅは、動力機構６５への制御内容に応じた動力制御情報を出力部１０５Ｅに出力する。出力部１０５Ｅは、動力制御情報に基づいて、再生音信号Ｓｒおよび合成音信号Ｓｓのいずれか一方を選択して、スピーカ７０に出力する。この例では、出力部１０５Ｅは、動力制御部６０Ｅが動力機構６５を制御して車両１Ｅを移動させているときには、合成音信号Ｓｓをスピーカ７０に出力し、車両１Ｅを停止させているときには再生音信号Ｓｒをスピーカ７０に出力する。
【００８９】
このような制御機能を有する車両１Ｅによれば、ユーザがヘッドホン７を装着して車両１Ｅを運転する場合に、車両１Ｅを移動するように動力機構６５が制御されると、動作モードが再生音モードから合成音モードに自動的に切り替えられる。これによって、車両１Ｅを運転するときの安全性が向上する。
【００９０】
＜第７実施形態＞
第７実施形態では、合成音信号Ｓｓに含まれる再生音信号Ｓｒと外部音信号Ｓｅとの割合によってＬＥＤランプ７５の発光状態を変化させるヘッドホン１Ｆについて説明する。
【００９１】
図１４は、本発明の第７実施形態における制御機能の構成を説明する図である。ヘッドホン１Ｆは、制御部１０Ｆ、通信部１５、スピーカ７０、マイクロフォン７２、ＬＥＤランプ７５、操作部７８およびメモリ９０を備える。制御部１０Ｂは、合成部１０１、音量比算出部１０３、出力部１０５、報知制御部１０７Ｆおよび登録部１０９によって制御機能を実現する。第１実施形態と同じ符号が付された他の構成については、その機能が第１実施形態と同様である。したがって、それらの機能についての説明は省略される。
【００９２】
音量比算出部１０３は、再生音信号Ｓｒと外部音信号Ｓｅとを取得し、外部音信号Ｓｅの信号レベルに対する再生音信号Ｓｒの信号レベルの信号割合を算出して、報知制御部１０７Ｆに出力する。報知制御部１０７Ｆは、第１実施形態と同様に、出力部１０５Ｅから出力される選択情報に応じて、ＬＥＤランプ７５を制御する。この例では、出力部１０５Ｅは、さらに、音量比算出部１０３から出力される信号割合に応じて、ＬＥＤランプ７５を制御する。この例では、報知制御部１０７Ｆは、合成音信号Ｓｓがスピーカ７０に出力されているとき、すなわち、合成音モードであるときには、ＬＥＤランプ７５を発光状態に制御する一方、信号割合が所定値以上になると、ＬＥＤランプ７５を消灯して非発光状態に制御する。
【００９３】
合成モードであるときに外部音信号Ｓｅの信号レベルに対する再生音信号Ｓｒの信号レベルの割合が大きくなると、合成音信号Ｓｓに含まれる外部音信号Ｓｅの割合が少なくなり、ユーザが外部音を聴取できず実質的に再生音モードに近い状況になる場合がある。例えば、オーディオプレイヤ１Ｃに設定される音量レベルを大きくすると、再生音信号Ｓｒの信号レベルが高くなる。これによって、合成音モードに設定しながら、実質的に再生音モードに近い状況を作り出すこともできる。一方、このような制御機能を有するヘッドホン１Ｆによれば、合成音信号Ｓｓに含まれる外部音信号Ｓｅの割合が少なくなったときに、ＬＥＤランプ７５を非発光状態に制御することができる。
【００９４】
なお、音量比算出部１０３は、算出した信号割合を報知制御部１０７Ｆに出力するのではなく、合成部１０１に出力するようにしてもよい。この場合には、合成部１０１は、取得した信号割合を参照して、外部音信号Ｓｅの信号レベルに対する再生音信号Ｓｒの信号レベルの割合が所定値以上に大きくならないように、再生音信号Ｓｒの信号レベルまたは外部音信号Ｓｅの信号レベルを調整してから加算してもよい。
【００９５】
＜第８実施形態＞
第１実施形態では、ＬＥＤランプ７５の発光状態によってヘッドホン１の外観を変化させることによって、ヘッドホン１の動作モードを外部に報知していたが、別の方法によって外部に報知してもよい。第８実施形態では、機械的な構造体が動くことによりヘッドホンの外観を変化させる例について説明する。
【００９６】
図１５は、本発明の第８実施形態におけるヘッドホンの外観の変化を説明する図である。図１５に示すように左ハウジング８０ＧＬには、半円状の開口部８８Ｌが設けられている。開口部８８Ｌから一部が露出するように左ハウジング８０ＧＬの内部に円盤７５０Ｌが配置されている。円盤７５０Ｌは、中心軸７５３Ｌを回転中心として回転可能に左ハウジング８０ＧＬに取り付けられている。円盤７５０Ｌは、例えば、モータ等によって回転される。
【００９７】
円盤７５０Ｌは、色が異なる２つの領域に区分されている。この２つの領域は、第１領域７５１Ｌおよび第２領域７５２Ｌである。この例では、第１領域７５１Ｌは、左ハウジング８０ＧＬの表面の色とは大きく異なる色を有する。第２領域７５２Ｌは、左ハウジング８０ＧＬの表面の色に類似した色または同一の色を有する。
【００９８】
第１実施形態では、ＬＥＤランプ７５は、再生音モードであるときには非発光状態に制御され、合成音モードであるときには発光状態に制御された。第８実施形態では、円盤７５０Ｌのうち、開口部８８Ｌから露出される領域が動作モードによって異なるように制御される。この例では、再生音モードであるときに開口部８８Ｌから第２領域７５２Ｌが露出し、合成音モードであるときに開口部８８Ｌから第１領域７５１Ｌが露出するように、円盤７５０Ｌの回転方向の位置が制御される。
【００９９】
なお、動作モードを外部に報知するための機械的な構造体は、上述した構成に限られず、様々な構成が取り得る。すなわち、動作モードが切り替えられることによって位置が変化する構造体であればよい。このとき、機械的な構造体は、ヘッドホンがユーザの耳に装着されているときに、外部から視認できる位置であって、合成音モードであるときの方が再生音モードであるときよりも、外部から視認したときに目立つようになっていることが望ましい。
【０１００】
＜第９実施形態＞
第８実施形態では、機械的な構造体が動くことによりヘッドホンの外観を変化させることで動作モードを外部に報知していたが、第９実施形態では、この機械的な構造体がユーザによって移動可能であるとともに、操作部と共用されている例について説明する。
【０１０１】
図１６は、本発明の第９実施形態におけるヘッドホンの外観の変化を説明する図である。図１６に示すように左ハウジング８０ＨＬには、スライドして移動可能なスイッチ７８ＨＬが配置されている。スイッチ７８ＨＬが移動できる範囲は、色が異なる２つの領域に区分されている。この２つの領域は、第１領域７８１ＨＬおよび第２領域７８２ＨＬである。この例では、第１領域７８１ＨＬは、左ハウジング８０ＨＬの表面の色とは大きく異なる色を有する。第２領域７８２ＨＬは、左ハウジング８０ＨＬの表面の色に類似した色または同一の色を有する。
【０１０２】
この例では、第２領域７８２ＨＬが露出するようにスイッチ７８ＨＬを移動させる（図示における右側）と、再生音モードとして設定される。一方、第１領域７８１ＨＬが露出するようにスイッチ７８ＨＬを移動させる（図示における左側）と、合成音モードとして設定される。このように、第９実施形態においても、ヘッドホンの外観を変化させることで、動作モードを外部に報知することができる。
【０１０３】
＜変形例＞
以上、本発明の一実施形態について説明したが、本発明の一実施形態は、以下のように様々な形態に変形することもできる。また、上述した実施形態および以下に説明する変形例は、それぞれ互いに組み合わせて適用することもできる。
【０１０４】
（１）ヘッドホンがユーザの耳に装着される例を用いて説明したが、ユーザの耳に装着される装置は、ヘッドホンではなくイヤホンであってもよい。イヤホンである場合には、ユーザの耳に装着するため構成（装着部）としては、ハウジングそのものであってもよいし、イヤーピースであってもよい。なお、ヘッドホンにヘッドバンドがなく左右の構成が分離しているものである場合には、フック等を用いることで、ハウジング８０をユーザの耳に装着できるようにすればよい。また、ヘッドホンの左右の構成をヘルメット等に取り付けた構成であってもよい。この場合、スピーカ７０はヘルメットの内側に放音するように配置され、ＬＥＤランプ７５はヘルメットの外部に向けて発光するように配置され、マイクロフォン７２はヘルメットの外部からの音が入力されるように配置されるようにすればよい。このように、ＬＥＤランプ７５とは、装着部に対してスピーカ７０とは反対側に配置されていればよい。
【０１０５】
（２）合成音モードであるときにはＬＥＤランプ７５が発光状態となるが、点灯タイミングが時刻ｔ１よりも後であってもよいし、消灯タイミングが時刻ｔ２よりも前に行われてもよい。消灯タイミングを時刻ｔ２よりも前にする場合には、報知制御部１０７は、選択信号ではなく操作信号を用いることで、スピーカ７０への出力信号が合成音信号Ｓｓから再生音信号Ｓｒに切り替えられる前にＬＥＤランプ７５を消灯することができる。
【０１０６】
（３）メモリ９０に登録される期間情報は、時刻ｔ１と時刻ｔ１からの経過時間（合成音信号Ｓｓが出力されていた時間）によって示されてもよいし、時刻ｔ２と時刻ｔ２までの経過時間（合成音信号Ｓｓが出力されていた時間）によって示されてもよい。また、時刻ｔ１において合成音信号Ｓｓがスピーカ７０に出力されていることを示す情報をメモリ９０する一方、時刻ｔ２においてその情報を削除するようにしてもよい。
【０１０７】
（４）マイクロフォン７２（７２Ｌ、７２Ｒ）は左右に設けられ、外部音信号Ｓｅが合成音信号Ｓｓに含まれてステレオ信号として最終的にスピーカ７０（７０Ｌ、７０Ｒ）に供給されるが、外部音信号Ｓｅはモノラル信号であってもよい。この場合には、マイクロフォン７２は、左右のいずれかが設けられていればよい。
【０１０８】
（５）メモリ９０は用いられなくてもよい。この場合には、制御機能の実現において登録部１０９は不要である。また、第５、第６実施形態のように、車両１Ｄ、１Ｅの場合には、メモリ９０は、ドライブレコーダ等、車両の挙動に関連した挙動情報が登録されるメモリと共通化してもよい。この場合には、登録部１０９は、このようなメモリに期間情報を登録する。このとき、他の挙動情報と関連付けられてもよい。
【０１０９】
（６）合成部１０１は、外部音信号Ｓｅの位相を反転させて再生音信号Ｓｒに加算した第２合成信号をさらに生成してもよい。この第２合成信号がスピーカ７０に出力されると、いわゆるノイズキャンセル機能として用いることもできる。この場合は、切り替え可能な動作モードにノイズキャンセルモードが追加されればよい。
【０１１０】
（７）合成部１０１は、再生音信号Ｓｒと外部音信号Ｓｅとを加算することによって合成した音を出力する。このとき、他の処理が含まれていてもよい。例えば、この加算の前に、周波数領域で再生音信号Ｓｒから外部音信号Ｓｅを減衰させる処理（いわゆるスペクトルサブトラクション法による処理）を実行することによって、再生音信号Ｓｒから外部音信号Ｓｅの周波数生分を減衰させてもよい。ある周波数において、再生音信号Ｓｒと外部音信号Ｓｅとが逆相の関係である場合、これらを単に加算すると、逆相成分が減衰されて合成音において外部音が聞き取りにくくなってしまう場合がある。一方、このスペクトルサブトラクション法による処理を事前にしておくことで、そのような逆相成分が含まれていたとしても、合成音において外部音を明瞭にすることもできる。
【符号の説明】
【０１１１】
１，１Ａ，１Ｂ，１Ｆ，７，７Ｄ…ヘッドホン、１Ｃ，３…オーディオプレイヤ、１Ｄ，１Ｅ…車両、５…報知端末、１０，１０Ａ，１０Ｂ，１０Ｃ，１０Ｄ，１０Ｅ，１０Ｆ…制御部、１３…再生部、１５，１５Ａ，１５Ｃ…通信部、５０…制御部、５５…通信部、５７…表示部、５８…操作部、６０，６０Ｅ…動力制御部、６５…動力機構、７０…スピーカ、７２…マイクロフォン、７５…ＬＥＤランプ、７８…操作部、７８ＨＬ…スイッチ、７９…センサ、８０…ハウジング、８０ＧＬ，８０ＨＬ…左ハウジング、８２…イヤーマフ、８５…ヘッドバンド、８８Ｌ…開口部、９０…メモリ、９９…電源、１０１…合成部、１０３…音量比算出部、１０５，１０５Ｂ，１０５Ｃ，１０５Ｅ…出力部、１０７，１０７Ａ，１０７Ｃ，１０７Ｄ，１０７Ｆ…報知制御部、１０９…登録部、１５１…プレイヤ接続部、１５５…報知端末接続部、１５７…ヘッドホン接続部、７１０，７１０Ｄ…制御部、７１５…通信部、７５０Ｌ…円盤、７５１Ｌ…第１領域、７５２Ｌ…第２領域、７５３Ｌ…中心軸、７８１ＨＬ…第１領域、７８２ＨＬ…第２領域
【図１】
0006984726.tif 000002
【図２】
0006984726.tif 000003
【図３】
0006984726.tif 000004
【図４】
0006984726.tif 000005
【図５】
0006984726.tif 000006
【図６】
0006984726.tif 000007
【図７】
0006984726.tif 000008
【図８】
0006984726.tif 000009
【図９】
0006984726.tif 000010
【図１０】
0006984726.tif 000011
【図１１】
0006984726.tif 000012
【図１２】
0006984726.tif 000013
【図１３】
0006984726.tif 000014
【図１４】
0006984726.tif 000015
【図１５】
0006984726.tif 000016
【図１６】
0006984726.tif 000017